(57)【要約】【課題】履き物及びそのニットアッパー並びに製造方法を提供する。【解決手段】本発明の履き物は、本底及び本底に固定されるニットアッパーを備える。ニットアッパーはニット部材及び複数本の嵌合線を具備する。ニット部材は少なくとも１本の糸が編成されることにより形成される複数の領域を含み、前記複数の領域として爪先革領域と、靴の甲領域と、内側靴領域と、外側靴領域と、ヒール領域とを含み、包囲することにより足を入れるための三次元空間が形成される。複数本の嵌合線は前記三次元空間の異なる方向に沿ってそれぞれ巻回するようにニット部材に嵌設され、ニット部材の爪先革領域方向への相対的な変移、ヒール領域方向への相対的な変移、及び靴の甲領域方向への相対的な変移が制限される。
2020505152.tif 000002
【特許請求の範囲】
【請求項１】
少なくとも１本の糸が編成されることにより形成される複数の領域を含み、前記複数の領域として爪先革領域と、靴の甲領域と、内側靴領域と、外側靴領域と、ヒール領域とを有し、包囲することにより足を入れるための三次元空間が形成されるニット部材と、
それぞれ前記三次元空間の異なる方向に沿って巻回するように前記ニット部材に嵌設され、前記ニット部材の前記爪先革領域方向への相対的な変移、前記ヒール領域方向への相対的な変移、及び前記靴の甲領域方向への相対的な変移を制限させる複数本の嵌合線とを備えるニットアッパー。
【請求項２】
前記複数本の嵌合線は第一嵌合線と、第二嵌合線と、第三嵌合線とを含み、前記第一嵌合線は前記内側靴領域に沿って前記爪先革領域を巻回させて前記外側靴領域まで延伸され、前記第二嵌合線は前記内側靴領域に沿って前記ヒール領域を巻回させて前記外側靴領域まで延伸され、前記第三嵌合線は前記内側靴領域に沿って前記靴の甲領域を巻回させて前記外側靴領域まで延伸される請求項１に記載のニットアッパー。
【請求項３】
前記第一嵌合線、前記第二嵌合線及び前記第三嵌合線の起点は実質的に前記内側靴領域の付近に位置され、且つ前記第一嵌合線、前記第二嵌合線及び前記第三嵌合線の終点は実質的に前記外側靴領域の付近に位置される請求項２に記載のニットアッパー。
【請求項４】
前記複数の領域は中敷領域を更に含み、前記第一嵌合線、前記第二嵌合線及び前記第三嵌合線は前記内側靴領域及び前記外側靴領域から前記中敷領域までそれぞれ延伸される請求項２に記載のニットアッパー。
【請求項５】
前記第一嵌合線、前記第二嵌合線及び前記第三嵌合線の起点及び終点は前記中敷領域の中間部分に位置され、且つ前記中間部分は実質的に前記足の土踏まずの位置に対応させる請求項４に記載のニットアッパー。
【請求項６】
前記第一嵌合線、前記第二嵌合線及び前記第三嵌合線は連続的な単一の嵌合線の異なる線分である請求項５に記載のニットアッパー。
【請求項７】
前記ニット部材は内面及び外面を有し、前記複数の領域は前記少なくとも１本の糸が編成されることにより形成される複数の編み糸リングを備え、前記複数本の嵌合線は前記複数の編み糸リングを通過させて前記内面と前記外面との間を往復的に貫通させる請求項１に記載のニットアッパー。
【請求項８】
本底と、
前記本底に固定される請求項１から７の何れか１項に記載のニットアッパーとを備える履き物。
【請求項９】
少なくとも１本の糸が編成されることによりニット部材が形成され、前記ニット部材は複数の領域を具備し、前記複数の領域として爪先革領域と、靴の甲領域と、内側靴領域と、外側靴領域と、ヒール領域とを含み、包囲することにより足を入れるための三次元空間が形成される工程（Ａ）と、
前記三次元空間の異なる方向に沿ってそれぞれ巻回するように複数本の嵌合線が前記ニット部材に嵌設され、前記ニット部材の前記爪先革領域方向への相対的な変移、前記ヒール領域方向への相対的な変移、及び前記靴の甲領域方向への相対的な変移が制限される工程（Ｂ）とを含むニットアッパーの製造方法。
【請求項１０】
編成されることにより前記ニット部材が形成される工程（Ａ）では、前記複数本の嵌合線が嵌設される工程（Ｂ）が同時に実行される請求項９に記載のニットアッパーの製造方法。
【請求項１１】
前記複数本の嵌合線が嵌設される工程（Ｂ）は、
第一嵌合線が前記内側靴領域に沿って前記爪先革領域を巻回させて前記外側靴領域まで延伸される前記第一嵌合線が嵌設される工程と、
第二嵌合線が前記内側靴領域に沿って前記ヒール領域を巻回させて前記外側靴領域まで延伸される前記第二嵌合線が嵌設される工程と、
第三嵌合線が前記内側靴領域に沿って前記靴の甲領域を巻回させて前記外側靴領域まで延伸される前記第三嵌合線が嵌設される工程とを含む請求項９に記載のニットアッパーの製造方法。
【請求項１２】
前記複数本の嵌合線が嵌設される工程（Ｂ）は、前記第一嵌合線、前記第二嵌合線及び前記第三嵌合線の起点が実質的に前記内側靴領域の付近に位置され、且つ前記第一嵌合線、前記第二嵌合線及び前記第三嵌合線の終点が実質的に前記外側靴領域の付近に位置される工程を含む請求項１１に記載のニットアッパーの製造方法。
【請求項１３】
編成されることにより前記ニット部材が形成される工程（Ａ）は、中敷領域が形成される工程を更に含み、且つ前記複数本の嵌合線が嵌設される工程（Ｂ）は、前記第一嵌合線、前記第二嵌合線及び前記第三嵌合線が前記内側靴領域及び前記外側靴領域から前記中敷領域までそれぞれ延伸される工程を含む請求項１１に記載のニットアッパーの製造方法。
【請求項１４】
前記複数本の嵌合線が嵌設される工程（Ｂ）は、前記第一嵌合線、前記第二嵌合線及び前記第三嵌合線の起点及び終点が前記中敷領域の中間部分に位置され、且つ前記中間部分が実質的に前記足の土踏まずの位置に対応させる工程を含む請求項１３に記載のニットアッパーの製造方法。
【請求項１５】
前記複数本の嵌合線が嵌設される工程（Ｂ）は、単一の嵌合線が前記ニット部材に嵌設されることにより前記第一嵌合線、前記第二嵌合線及び前記第三嵌合線が形成される工程を含む請求項１４に記載のニットアッパーの製造方法。
【請求項１６】
編成されることにより前記ニット部材が形成される工程（Ａ）は、前記ニット部材が内面及び外面を有し、前記複数の領域として前記少なくとも１本の糸が編成されることにより形成される複数の編み糸リングを備える工程を含み、且つ前記複数本の嵌合線が嵌設される工程（Ｂ）は、前記複数本の嵌合線が前記複数の編み糸リングを通過させて前記内面と前記外面との間を往復的に貫通させる工程を含む請求項９に記載のニットアッパーの製造方法。
【発明の詳細な説明】
【技術分野】
【０００１】
本発明は、履き物及びそのニットアッパー並びに製造方法に関し、より詳しくは、異なる方向への展延が局部的に制限される履き物及びそのニットアッパー並びに製造方法に関する。
【背景技術】
【０００２】
一般的な皮革またはポリマーで製造される靴は、使用される材質の影響で靴全体の通気性が低下し、更には履く者に不快感を与えた。また、靴の製造過程では、剪断、接合、裁断等の過程で靴の材料を大量に損耗し、これが環境問題を引き起こした上、靴の製造コストも上昇した。このため、展延性が高く柔軟性が優れた編物或いは織物材料を使用してアッパーとすることが靴製造業界では発展の方向性として徐々に広がっている。
【発明の概要】
【発明が解決しようとする課題】
【０００３】
しかしながら、バスケットボールやサッカー等の激しい運動中には、ダッシュ、急ストップ、ジャンプ等の動作を頻繁に繰り返すため、ニットアッパーで製造される運動靴が提供する高い展延性及び柔軟性のためにアッパーが不要な滑動を生じ、履く者が怪我をすることがあった。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。上記課題解決のため、本発明は、ニットアッパー並びにその製造方法を提供することを目的とする。すなわち、嵌合線がニット部材の所定の領域を往復的に貫通させることにより、局部的な構造強度が増し、アッパーの支持構造が形成される。
【０００６】
また、本発明の他の目的は、履き物を提供することにある。履き物は上述のニットアッパーを備え、異なる方向に巻回するようにニット部材に嵌設される複数本の嵌合線により、相対的な変移の発生を減らし、履く者が怪我をする可能性を効果的に低下させる。
【課題を解決するための手段】
【０００７】
上述した課題を解決し、目的を達成するために、本発明に係るニットアッパーは、ニット部材及び複数本の嵌合線を備える。ニット部材は少なくとも１本の糸が編成されることにより形成される複数の領域を含み、複数の領域として爪先革領域と、靴の甲領域と、内側靴領域と、外側靴領域と、ヒール領域とを含み、包囲することにより足を入れるための三次元空間が形成される。複数本の嵌合線はそれぞれ三次元空間の異なる方向に沿って巻回するようにニット部材に嵌設され、ニット部材の爪先革領域方向への相対的な変移、ヒール領域方向への相対的な変移、及び靴の甲領域方向への相対的な変移を制限させる。
【０００８】
好ましい実施形態では、複数本の嵌合線は第一嵌合線と、第二嵌合線と、第三嵌合線とを含む。第一嵌合線は内側靴領域に沿って爪先革領域を巻回させて外側靴領域まで延伸され、第二嵌合線は内側靴領域に沿ってヒール領域を巻回させて外側靴領域まで延伸され、第三嵌合線は内側靴領域に沿って靴の甲領域を巻回させて外側靴領域まで延伸される。
【０００９】
好ましい実施形態では、第一嵌合線、第二嵌合線及び第三嵌合線の起点は実質的に内側靴領域の付近に位置され、且つ第一嵌合線、第二嵌合線及び第三嵌合線の終点は実質的に外側靴領域の付近に位置される。
【００１０】
好ましい実施形態では、複数の領域は中敷領域を更に含み、且つ第一嵌合線、第二嵌合線及び第三嵌合線は内側靴領域及び外側靴領域から中敷領域までそれぞれ延伸される。
【００１１】
好ましい実施形態では、第一嵌合線、第二嵌合線及び第三嵌合線の起点及び終点は中敷領域の中間部分に位置され、且つ中間部分は実質的に足の土踏まずの位置に対応させる。
【００１２】
好ましい実施形態では、第一嵌合線、第二嵌合線及び第三嵌合線は連続的な単一の嵌合線の異なる線分である。
【００１３】
好ましい実施形態では、ニット部材は内面及び外面を有し、複数の領域は少なくとも１本の糸が編成されることにより形成される複数の編み糸リングを備え、複数本の嵌合線は複数の編み糸リングを通過させて内面と外面との間を往復的に貫通させる。
【００１４】
他の好ましい実施形態では、本発明に係る履き物は、本底及び上述のニットアッパーを備え、且つニットアッパーは本底に固定される。
【００１５】
他の好ましい実施形態では、本発明に係る履き物の製造方法は、少なくとも１本の糸が編成されることによりニット部材が形成され、ニット部材は複数の領域を含み、複数の領域として爪先革領域と、靴の甲領域と、内側靴領域と、外側靴領域と、ヒール領域とを含み、包囲することにより足を入れるための三次元空間が形成される工程（Ａ）と、それぞれ三次元空間の異なる方向に沿って巻回するように複数本の嵌合線がニット部材に嵌設され、ニット部材の爪先革領域方向への相対的な変移、ヒール領域方向への相対的な変移、及び靴の甲領域方向への相対的な変移が制限される工程（Ｂ）とを含む。
【００１６】
好ましい実施形態では、編成されることによりニット部材が形成される工程（Ａ）では、複数本の嵌合線が嵌設される工程（Ｂ）が同時に実行される。
【００１７】
好ましい実施形態では、複数本の嵌合線が嵌設される工程（Ｂ）は、第一嵌合線が内側靴領域に沿って爪先革領域を巻回させて外側靴領域まで延伸される第一嵌合線が嵌設される工程と、第二嵌合線が内側靴領域に沿ってヒール領域を巻回させて外側靴領域まで延伸される第二嵌合線が嵌設される工程と、第三嵌合線が内側靴領域に沿って靴の甲領域を巻回させて外側靴領域まで延伸される第三嵌合線が嵌設される工程とを含む。
【００１８】
好ましい実施形態では、複数本の嵌合線が嵌設される工程（Ｂ）は、第一嵌合線、第二嵌合線及び第三嵌合線の起点が実質的に内側靴領域の付近に位置され、且つ第一嵌合線、第二嵌合線及び第三嵌合線の終点が実質的に外側靴領域の付近に位置される工程を含む。
【００１９】
好ましい実施形態では、編成されることによりニット部材が形成される工程（Ａ）は、中敷領域が形成される工程を更に含む。また、複数本の嵌合線が嵌設される工程（Ｂ）は、第一嵌合線、第二嵌合線及び第三嵌合線が内側靴領域及び外側靴領域から中敷領域までそれぞれ延伸される工程を含む。
【００２０】
好ましい実施形態では、複数本の嵌合線が嵌設される工程（Ｂ）は、第一嵌合線、第二嵌合線及び第三嵌合線の起点及び終点が中敷領域の中間部分に位置され、且つ中間部分が実質的に足の土踏まずの位置に対応させる工程を含む。
【００２１】
好ましい実施形態では、複数本の嵌合線が嵌設される工程（Ｂ）は、単一の嵌合線がニット部材に嵌設されることにより第一嵌合線、第二嵌合線及び第三嵌合線が形成される工程を含む。
【００２２】
好ましい実施形態では、編成されることによりニット部材が形成される工程（Ａ）は、ニット部材が内面及び外面を有し、複数の領域は少なくとも１本の糸が編成されることにより形成される複数の編み糸リングを備える工程を含む。また、複数本の嵌合線が嵌設される工程（Ｂ）は、複数本の嵌合線が複数の編み糸リングを通過させて内面と外面との間を往復的に貫通させる工程を含む。
【発明の効果】
【００２３】
従来の技術と比較し、本発明に係る履き物及びそのニットアッパー並びに製造方法は、ニット部材が高い通気性及び展延性を提供することにより履き心地が向上し、ニット部材中で往復的に貫通させる嵌合線によりアッパーの構造が強化され、アッパーの支持構造が形成され、相対的な変移の発生が減少し、履く者が怪我をする可能性が低下する。
【図面の簡単な説明】
【００２４】
【図１】本発明一実施形態に係る履き物を示す概略図である。
【図２】本発明一実施形態に係るニット部材を示す概略図である。
【図３】本発明の他の実施形態に係るニット部材を示す概略図である。
【図４Ａ】本発明一実施形態の嵌合線がニット部材に嵌設される概略図である。
【図４Ｂ】本発明一実施形態の嵌合線がニット部材に嵌設される断面図である。
【図５】本発明の他の実施形態に係るニットアッパーの製造方法を示すフローチャートである。
【発明を実施するための形態】
【００２５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２６】
まず、図１に示すように、本発明の履き物１０は、ニットアッパー１００及び本底２００を備える。ニットアッパー１００は本底２００に固定され、且つニットアッパー１００はニット部材１１０及び複数本の嵌合線（例えば、１２２、１２４、及び１２６参照）を含む。ニット部材１１０は少なくとも１本の糸が編成されることにより形成される複数の領域を含み、複数の領域として爪先革領域１１１と、靴の甲領域１１２と、内側靴領域１１３と、外側靴領域１１４と、ヒール領域１１５とを含み、包囲することにより足を入れるための三次元空間１０ａが形成される。複数本の嵌合線１２２、１２４、１２６はそれぞれ三次元空間の異なる方向に沿って巻回するようにニット部材１１０に嵌設され、ニット部材１１０の爪先革領域１１１方向への相対的な変移、ヒール領域１１５方向への相対的な変移、及び靴の甲領域１１２方向への相対的な変移が制限される。
【００２７】
具体的には、本底２００は一般的によく見受けられる本底に適合する部材として緩衝、支持等の機能を有する部材を含む。例えば、実際の応用に応じて、本底２００は表底、ミッドソール、中底等を含み、ニットアッパー１００は縫合、粘着等の技術により本底２００の適切な位置に固定される。ニットアッパー１００は少なくとも１本の糸が編成されることにより形成される複数の縦列及び横列を有する二次元のニット部材１１０により包囲されることにより形成される三次元のアッパーであり（図２の実施例参照）、或いはニットアッパー１００は少なくとも１本の糸が編成されることにより形成される複数の縦列及び横列を有する三次元立体ニット部材１１０'である （図３の実施例参照）。縦列は編み糸リングで構成される水平列であり、横列は交互に接する編み糸リングで構成される垂直列である。換言すれば、糸に沿って編成される曲路は縦列と定義され、且つ横列の延伸方向が縦列の延伸方向と交差する。ちなみに、ニット部材１１０、１１０'を形成させる糸の数量、色、材料、或いは編み方は形成するアッパーの部分毎の伸縮性の要求、色、デザイン等に基づいて決定される。また、ニット部材１１０、１１０'は単層或いは多層構造を有し、且つ異なるデザインを有し、様々な靴に応用される。
【００２８】
続いて、図２に示すように、ある実施形態では、二次元ニット部材１１０により形成されるニットアッパーを例にすると、ニット部材１１０は足裏に対応する部分が中空となる。爪先革領域１１１、靴の甲領域１１２、内側靴領域１１３、外側靴領域１１４及びヒール領域１１５は接合（例えば、縫合）されて包囲させることにより足を入れるための三次元空間１０ａが形成される。爪先革領域１１１は一般的に爪先に対応する部分を含む。靴の甲領域１１２は一般的に足の甲に対応する部分を含む。内側靴領域１１３及び外側靴領域１１４は足の対応し合う両側辺に対応する部分である。例えば、内側靴領域１１３は一般的に足の側部に対応する部分を含み、且つもう一方の足の側部に対向する。外側靴領域１１４は一般的に足の側部に対応する部分を含み、且つ足の外側である。ヒール領域１１５は一般的に踵骨に対応する部分を含む。ちなみに、ニット部材の複数の領域の区分は説明を分かりやすくするためのものにすぎず、実施形態に示す領域の範囲により限定するためのものではない。
【００２９】
複数本の嵌合線として第一嵌合線１２２と、第二嵌合線１２４と、第三嵌合線１２６とを含む。第一嵌合線１２２は内側靴領域１１３に沿って爪先革領域１１１を巻回させて外側靴領域１１４まで延伸され、ニット部材１１０の爪先革領域１１１方向への相対的な変移が制限される。換言すれば、第一嵌合線１２２がニットアッパー１００の一側（例えば内側靴領域１１３）から往復的に貫通させて爪先革領域１１１まで延伸されると共に爪先革領域１１１を巻回させた後、ニットアッパー１００の他側（例えば、外側靴領域１１４）まで延伸され、前方へ向けての局部的な強化構造が形成され、且つ履き物１０の前半部の前方及び側方への変移が制限される。第二嵌合線１２４は内側靴領域１１３に沿ってヒール領域１１５を巻回させて外側靴領域１１４まで延伸され、ニット部材１１０のヒール領域１１５方向への相対的な変移が制限される。換言すれば、第二嵌合線１２４がニットアッパー１００の一側（例えば、内側靴領域１１３）から往復的に貫通させてヒール領域１１５まで延伸されると共にヒール領域１１５を巻回させた後、ニットアッパー１００の他側（例えば、外側靴領域１１４）まで延伸され、後方に向けての局部的な強化構造が形成され、且つ履き物１０の後半部の後退方向及び側方への変移が制限される。第三嵌合線１２６は内側靴領域１１３に沿って靴の甲領域１１２を巻回させて外側靴領域１１４まで延伸され、ニット部材１１０の靴の甲領域１１２方向への相対的な変移が制限される。換言すれば、第三嵌合線１２６がニットアッパー１００の一側（例えば、内側靴領域１１３）から往復的に貫通させて靴の甲領域１１２まで延伸されると共に靴の甲領域１１２を巻回させた後、ニットアッパー１００の他側（例えば、外側靴領域１１４）まで延伸され、上方へ向けての局部的な強化構造が形成され、且つ履き物１０の前上方及び側方への変移が制限される。
【００３０】
好ましい実施形態では、第一嵌合線１２２、第二嵌合線１２４及び第三嵌合線１２６の起点は実質的に内側靴領域１１３の付近に位置され、且つ第一嵌合線１２２、第二嵌合線１２４及び第三嵌合線１２６の終点は実質的に外側靴領域１１４の付近に位置される。換言すれば、第一嵌合線１２２、第二嵌合線１２４及び第三嵌合線１２６の起点及び終点は好ましくはニットアッパー１００の対応し合う両側の付近に位置され、複数本の嵌合線１２２、１２４、１２６が同じ位置から三次元空間１０ａの異なる方向に巻回するように延伸される。吊橋に相似する構造概念を有し、複数本の嵌合線１２２、１２４、１２６によりニットアッパー１００の支持構造が形成され、多方向に相当な構造性を有し、相対的な変移の過度な発生を効果的に減少させる。
【００３１】
他の実施形態では、図３に示すように、三次元立体ニット部材１１０'によりニットアッパーが形成される例では、ニット部材１１０'の複数の領域は中敷領域１１６を更に含む。中敷領域１１６は一般的に足裏に対応する部分を備える。本施形態において、では、爪先革領域１１１、靴の甲領域１１２、内側靴領域１１３、外側靴領域１１４、ヒール領域１１５及び中敷領域１１６は好ましくはニット部材１１０'で完成した後に足を入れるための三次元空間１０ａを形成させ、このため別途の縫合工程が不要である。
【００３２】
図３から分かるように、第一嵌合線１２２、第二嵌合線１２４及び第三嵌合線１２６はそれぞれ内側靴領域１１３及び外側靴領域１１４から中敷領域１１６まで更に延伸される。具体的には、第一嵌合線１２２、第二嵌合線１２４及び第三嵌合線１２６の起点及び終点は好ましくは中敷領域１１６の足の土踏まずの位置に実質的に対応する中間部分に位置する。ある実施形態では、第一嵌合線１２２、第二嵌合線１２４及び第三嵌合線１２６は独立した３本の嵌合線であるが、但しこの限りではない。他の実施形態では、第一嵌合線１２２、第二嵌合線１２４及び第三嵌合線１２６は連続的な単一の嵌合線の異なる線分である。換言すれば、１本の連続的な嵌合線が中敷領域１１６の中間部分からニットアッパー１００の一側（例えば、内側靴領域１１３）に向けて爪先革領域１１１まで延伸され、且つ爪先革領域１１１を巻回させた後、ニットアッパー１００の他側（例えば、外側靴領域１１４）まで延伸され、その後中敷領域１１６に中間部分に戻るように延伸され、第一嵌合線１２２が構成される。次いで、ニットアッパー１００の一側（例えば、内側靴領域１１３）に向けてヒール領域１１５まで延伸され、且つヒール領域１１５を巻回させた後、ニットアッパー１００の他側（例えば、外側靴領域１１４）まで延伸され、その後中敷領域１１６の中間部分に戻るように延伸され、第二嵌合線１２４が構成される。その後、ニットアッパー１００の一側（例えば、内側靴領域１１３）に向けて靴の甲領域１１２まで延伸され、且つ靴の甲領域１１２を巻回させた後、ニットアッパー１００の他側（例えば、外側靴領域１１４）まで延伸され、その後に中敷領域１１６の中間部分に戻るように延伸され、第三嵌合線１２６が構成される。ちなみに、単一の嵌合線により形成される第一嵌合線１２２、第二嵌合線１２４及び第三嵌合線１２６の順序は実際の応用に応じて変更可能であり、実施形態に示す順序に限定されない。また、嵌合線１２２、１２４、１２６の嵌設領域は内側靴領域１１３または中敷領域１１６から始まるものに限られず、実際の編成の設計に応じて、爪先革領域１１１またはヒール領域１１５から始まって、両側の靴側區１１３、１１４まで延伸されてもよい。
【００３３】
図４Ａ及び図４Ｂを参照すれば、ある実施形態では、嵌合線（例えば、第一嵌合線１２２を例とする）はニット部材１１０または１１０'の縦列に沿って往復的に貫通させて編み糸リングを通過させ、嵌合線がニット部材１１０または１１０'の内面１００ａと外面１００ｂとの間を往復的に貫通させるが、但しこの限りではない。上述の嵌合線（例えば、１２２、１２４、及び１２６参照）は実際の応用に応じて、ニット部材１１０または１１０'の縦列、横列、或いは所定の経路に沿って往復的に貫通させて領域に対応する編み糸リングを通過させ、嵌合線がニット部材１１０または１１０'の内面と外面との間を往復的に貫通させる。
【００３４】
さらに、ある実施形態では、嵌合線１２２、１２４、１２６は糸で構成されるが、但しこの限りではない。他の実施形態では、嵌合線１２２、１２４、１２６は、例えば、流糸線、細糸、綿ロープ、結束バンド、ケーブル、または番線の形式を含む。嵌合線１２２、１２４、１２６の材料は木綿糸、弾性糸、ポリエステル、化学繊維、ウール、またはナイロンであるが、これらに限定されない。また、上述の実施形態では３本の嵌合線１２２、１２４、１２６を例に説明するが、但しこれに限定されない。また、他の実施形態では、第一嵌合線１２２及び第二嵌合線１２４により爪先革領域１１１から内側靴領域１１３、外側靴領域１１４を経てヒール領域１１５まで至る嵌合環状線が形成され、前後方向への相対的な変移が制限される。また、上述の実施形態では１本の嵌合線が１つの方向の強化支持構造を表すが、但しこの限りではない。他の実施形態では、局部的に構造性及び支持性を強化する領域に同方向に延伸される複数本の嵌合線が嵌設され、或いは強度が異なる嵌合線が嵌設される。
【００３５】
他の実施形態では、図５のフローチャートの実施形態に示すように、本発明に係るニットアッパーの製造方法は以下の工程を含む。
【００３６】
工程５１０では、少なくとも１本の糸が編成されることによりニット部材が形成される。ニット部材は複数の領域を含み、複数の領域として爪先革領域と、靴の甲領域と、内側靴領域と、外側靴領域と、ヒール領域とを含み、包囲することにより足を入れるための三次元空間が形成される。具体的には、工程５１０において、図２または図３に示すニット部材１１０或いは１１０'が形成され、且つニット部材１１０、１１０'の複数の領域として爪先革領域１１１と、靴の甲領域１１２と、内側靴領域１１３と、外側靴領域１１４と、ヒール領域１１５とを含み、包囲することにより足を入れるための三次元空間１０ａが形成される。
【００３７】
工程５２０では、それぞれ三次元空間の異なる方向に沿って巻回するように複数本の嵌合線がニット部材に嵌設され、ニット部材の爪先革領域方向への相対的な変移、ヒール領域方向への相対的な変移、及び靴の甲領域方向への相対的な変移が制限される。具体的には、図２に示すように、複数本の嵌合線が嵌設される工程５２０では、第一嵌合線１２２が内側靴領域１１３に沿って爪先革領域１１１を巻回させて外側靴領域１１４まで延伸される第一嵌合線１２２が嵌設される工程と、第二嵌合線１２４が内側靴領域１１３に沿ってヒール領域１１５を巻回させて外側靴領域１１４まで延伸される第二嵌合線１２４が嵌設される工程と、第三嵌合線１２６が内側靴領域１１３に沿って靴の甲領域１１２を巻回させて外側靴領域１１４まで延伸される第三嵌合線１２６が嵌設される工程とを含む。また、複数本の嵌合線が嵌設される工程５２０は、第一嵌合線１２２、第二嵌合線１２４及び第三嵌合線１２６の起点が実質的に内側靴領域１１３の付近に位置され、且つ第一嵌合線１２２、第二嵌合線１２４及び第三嵌合線１２６の終点が実質的に外側靴領域１１４の付近に位置される工程を更に含む。
【００３８】
このほか、図３を参照すれば、工程５１０は、中敷領域１１６が形成される工程を更に含み、且つ複数本の嵌合線が嵌設される工程５２０は、第一嵌合線１２２、第二嵌合線１２４及び第三嵌合線１２６が内側靴領域１１３及び外側靴領域１１４から中敷領域１１６までそれぞれ延伸される工程を含む。複数本の嵌合線が嵌設される工程５２０は、第一嵌合線１２２、第二嵌合線１２４及び第三嵌合線１２６の起点及び終点が中敷領域１１６の中間部分に位置され、且つ中間部分が実質的に足の土踏まずの位置に対応させる工程を含む。
【００３９】
ある実施形態では、複数本の嵌合線が嵌設される工程５２０は、単一の嵌合線がニット部材１１０、１１０'に嵌設されることにより第一嵌合線１２２、第二嵌合線１２４及び第三嵌合線１２６が形成される工程を含む。また、複数本の嵌合線が嵌設される工程５２０は、複数本の嵌合線（例えば、１２２、１２４、及び１２６参照）が複数の編み糸リングを通過させてニット部材の内面と外面との間を往復的に貫通させる工程を含む。
【００４０】
ちなみに、編成されることによりニット部材１１０、１１０'が形成される工程５１０では、好ましくは複数本の嵌合線１２２、１２４、１２６が嵌設される工程５２０が同時に実行される。すなわち、嵌合線１２２、１２４、１２６は好ましくは少なくとも１本の糸が編成されることによりニット部材１１０、１１０'が形成される際に、それぞれ所定の経路に沿ってニット部材１１０、１１０'中に編成され、製造コストが節約されるが、但しこれに限定されない。他の実施形態では、編成されることによりニット部材１１０、１１０'が形成される工程５１０が完成した後、複数本の嵌合線１２２、１２４、１２６が嵌設される工程５２０が実行される。
【００４１】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００４２】
１０  履き物
１０ａ  三次元空間
１００  ニットアッパー
１００ａ  内面
１００ｂ  外面
１１０  ニット部材
１１０'  ニット部材
１１１  爪先革領域
１１２  靴の甲領域
１１３  内側靴領域
１１４  外側靴領域
１１５  ヒール領域
１１６  中敷領域
１２２  第一嵌合線
１２４  第二嵌合線
１２６  第三嵌合線
２００  本底
５１０  工程
５２０  工程
【図１】
2020505152.tif 000003
【図２】
2020505152.tif 000004
【図３】
2020505152.tif 000005
【図４Ａ】
2020505152.tif 000006
【図４Ｂ】
2020505152.tif 000007
【図５】
2020505152.tif 000008
【国際調査報告】
2020505152.tif 000009
2020505152.tif 000010
2020505152.tif 000011
2020505152.tif 000012
2020505152.tif 000013
2020505152.tif 000014